(57)【要約】【課題】  ＨＤＤ１２からの楽曲の再生では、表示器１４に楽曲情報を表示できる。表示器１４には、表示文字数等の制約があり、該制約は楽曲処理装置１０の機種ごとに異なる。表示制約に適合した楽曲情報を能率的にＨＤＤ１２に記録できるようにする。【解決手段】  楽曲特定情報入手手段３２及び機種識別情報入手手段３３はそれぞれ楽曲特定情報及び機種識別情報を入手する。通知手段３４の被通知手段４１は、インターネット２０を介して楽曲処理装置１０から楽曲特定情報及び機種識別情報を受信する。検索手段４２は、楽曲情報データベース２５を検索して、楽曲特定情報に対応する楽曲情報を一次データとして獲得する。二次データ生成手段４３は機種識別情報に基づき一次データから二次データを生成する。二次データ使用手段３６は、データベース管理装置２４からの二次データに基づく楽曲情報をＨＤＤ１２に記録する。【選択図】      図２
2005276394.tif 000002
【特許請求の範囲】
【請求項１】
楽曲についての処理を行なう楽曲処理装置と、楽曲情報に係るデータベースを管理するデータベース管理装置とを含む楽曲情報処理システムにおいて、
前記楽曲処理装置は、
処理対象の楽曲の特定に係る楽曲特定情報を入手する楽曲特定情報入手手段、
前記楽曲処理装置の機種の識別に係る機種識別情報を入手する機種識別情報入手手段、
前記楽曲特定情報及び前記機種識別情報を前記データベース管理装置へ通知する通知手段、
前記楽曲処理装置における楽曲情報に関する処理に適合したデータとしての二次データを前記データベース管理装置から通知される被通知手段、及び
二次データを、処理対象の楽曲に対する楽曲情報に関する処理に使用する二次データ使用手段、
を有し、
前記データベース管理装置は、
前記楽曲処理装置から楽曲特定情報及び機種識別情報を通知される被通知手段、
楽曲特定情報に基づきデータベース内を検索し該データベースより該楽曲特定情報に対応する楽曲情報に係るデータを一次データとして入手する検索手段、
前記楽曲処理装置における楽曲情報に関する処理に適合するデータとしての二次データを前記機種識別情報に基づき前記一次データから加工して生成する二次データ生成手段、及び
二次データを前記楽曲処理装置へ通知する通知手段、
を有している、
ことを特徴とする楽曲情報処理システム。
【請求項２】
前記楽曲処理装置及び前記データベース管理装置間の通知及び被通知は、インターネットを介する通信により行われるものであることを特徴とする請求項１記載の楽曲情報処理システム。
【請求項３】
前記楽曲処理装置に装備されて前記楽曲処理装置における楽曲情報に関する処理を行うソフトウェアが前記データベース管理装置を装備し、
前記楽曲処理装置及び前記データベース管理装置間の通知及び被通知は、前記ソフトウェアの内部処理として実施されることを特徴とする請求項１記載の楽曲情報処理システム。
【請求項４】
楽曲についての処理を行なう楽曲処理装置において、
処理対象の楽曲の特定に係る楽曲特定情報を入手する楽曲特定情報入手手段、
前記楽曲処理装置の機種の識別に係る機種識別情報を入手する機種識別情報入手手段、
楽曲情報に係るデータベースを管理するデータベース管理装置へ前記楽曲特定情報及び前記機種識別情報を前記通知する通知手段、
前記楽曲処理装置における楽曲情報に関する処理に適合したデータとしての二次データを前記データベース管理装置から通知される被通知手段、及び
二次データを、処理対象の楽曲に対する楽曲情報に関する処理に使用する二次データ使用手段、
を有していることを特徴とする楽曲処理装置。
【請求項５】
前記楽曲特定情報入手手段は、ユーザが入力した楽曲のＩＤ又は楽曲を含むアルバムのＩＤを前記楽曲特定情報として入手するものであることを特徴とする請求項４記載の楽曲処理装置。
【請求項６】
前記楽曲特定情報入手手段は、楽曲を放送中の放送局が該楽曲に係る楽曲情報として楽曲の放送と並行してデータ放送して来る文字データに基づく情報を楽曲特定情報として入手するものであることを特徴とする請求項４又は５記載の楽曲処理装置。
【請求項７】
前記楽曲処理装置における楽曲についての処理とは、楽曲に対応付けてその楽曲情報を記録媒体へ記録処理であり、
前記楽曲処理装置における楽曲情報に関する処理とは、前記楽曲処理装置の表示器に楽曲の再生中に該楽曲の楽曲情報を表示する処理であることを特徴とする請求項４〜６のいずれかに記載の楽曲処理装置。
【請求項８】
楽曲情報に係るデータベースを管理するデータベース管理装置において、
楽曲についての処理を行なう楽曲処理装置から楽曲特定情報及び機種識別情報を通知される被通知手段、
楽曲特定情報に基づきデータベース内を検索し該データベースより該楽曲特定情報に対応する楽曲情報に係るデータを一次データとして入手する検索手段、
前記楽曲処理装置における楽曲情報に関する処理に適合するデータとしての二次データを前記機種識別情報に基づき前記一次データから加工して生成する二次データ生成手段、及び
二次データを前記楽曲処理装置へ通知する通知手段、
を有していることを特徴とするデータベース管理装置。
【請求項９】
前記二次データ生成手段は、前記機種識別情報に基づき前記楽曲処理装置の表示器における楽曲情報の表示制約を検出する表示制約検出手段、及び二次データを前記楽曲処理装置の表示制約に基づき前記一次データから加工して生成する表示制約対応生成手段、を有していることを特徴とする請求項８記載のデータベース管理装置。
【請求項１０】
楽曲についての処理を行なう楽曲処理装置と、楽曲情報に係るデータベースを管理するデータベース管理装置とを含むシステムに対して実施される楽曲情報処理方法において、
前記楽曲情報処理方法は、楽曲処理装置に対して実施される楽曲処理方法と、データベース管理装置に対して実施されるデータベース管理方法とを含み、
前記楽曲処理方法は、
処理対象の楽曲の特定に係る楽曲特定情報及び前記楽曲処理装置の機種の識別に係る機種識別情報を入手するステップ、
前記楽曲特定情報と共に前記楽曲処理装置の機種の識別に係る機種識別情報を前記データベース管理装置へ通知するステップ、
前記楽曲処理装置における楽曲情報に関する処理に適合したデータとしての二次データを前記データベース管理装置から通知されるステップ、及び
二次データを、処理対象の楽曲に対する楽曲情報に関する処理に使用するステップ、
を有し、
前記データベース管理方法は、
前記楽曲処理装置から楽曲特定情報及び機種識別情報を通知されるステップ、
楽曲特定情報に基づきデータベース内を検索し該データベースより該楽曲特定情報に対応する楽曲情報に係るデータを一次データとして入手するステップ、
前記楽曲処理装置における楽曲情報に関する処理に適合するデータとしての二次データを前記機種識別情報に基づき前記一次データから加工して生成するステップ、及び
二次データを前記楽曲処理装置へ通知するステップ、
を有している、
ことを特徴とする楽曲情報処理方法。
【請求項１１】
楽曲についての処理を行なう楽曲処理装置に対して実施される楽曲処理方法において、
処理対象の楽曲の特定に係る楽曲特定情報及び前記楽曲処理装置の機種の識別に係る機種識別情報を入手するステップ、
前記楽曲特定情報と共に前記楽曲処理装置の機種の識別に係る機種識別情報を前記データベース管理装置へ通知するステップ、
前記楽曲処理装置における楽曲情報に関する処理に適合したデータとしての二次データを前記データベース管理装置から通知されるステップ、及び
二次データを、処理対象の楽曲に対する楽曲情報に関する処理に使用するステップ、
を有していることを特徴とする楽曲処理方法。
【請求項１２】
楽曲情報に係るデータベースを管理するデータベース管理装置に対して実施されるデータベース管理方法において、
楽曲についての処理を行なう楽曲処理装置から楽曲特定情報及び機種識別情報を通知されるステップ、
楽曲特定情報に基づきデータベース内を検索し該データベースより該楽曲特定情報に対応する楽曲情報に係るデータを一次データとして入手するステップ、
前記楽曲処理装置における楽曲情報に関する処理に適合するデータとしての二次データを前記機種識別情報に基づき前記一次データから加工して生成するステップ、及び
二次データを前記楽曲処理装置へ通知するステップ、
を有している、
ことを特徴とするデータベース管理方法。
【請求項１３】
前記二次データを生成するステップは、前記機種識別情報に基づき前記楽曲処理装置の表示器における楽曲情報の表示制約を検出するステップ、及び二次データを前記楽曲処理方法の表示制約に基づき前記一次データから加工して生成するステップ、を有していることを特徴とする請求項１２記載のデータベース管理方法。
【発明の詳細な説明】
【技術分野】
【０００１】
本発明は、処理対象の楽曲に係る楽曲情報の入力作業を能率化する楽曲情報処理システム、楽曲処理装置、データベース管理装置、楽曲情報処理方法、楽曲処理方法及びデータベース管理方法に関するものである。
【背景技術】
【０００２】
ＨＤＤ（ハードディスク装置）やＭＤ（ミニディスク）は、楽曲と共に、該楽曲の楽曲情報も対応付けて記録可能となっており、再生装置は、楽曲の再生中、該楽曲の楽曲情報を表示器に表示できるようになっている。
【０００３】
特許文献１は、ＭＤにダビングする楽曲に関連付けて記録する楽曲名等の楽曲情報を能率的に入力できる技術を開示する。すなわち、特許文献１の図１７及び図１８に関連する説明では、ユーザは、ダビング対象の楽曲についての楽曲名や歌手名等の楽曲情報を提示しているインターネット上のサイトを、自分のパソコンを使って探し出し、気に入った楽曲情報を提示しているサイトから該楽曲情報のデータをパソコンへダウンロードする。そして、パソコンの所定のソフトは、ダウンロードした楽曲情報のデータを、ＭＤ用の規格へデータ変換してから、ＭＤレコーダへ送り、ＭＤレコーダは、それをＭＤに記録するようになっている（図１）。
【０００４】
一方、ＣＤ等に記録されている楽曲の情報を蓄積した幾つかのデータベースがインターネット上に存在し（例：http://www.gracenote.com/）、ユーザは、楽曲を特定する情報に基づき該データベース内を検索すれば、所望の楽曲についての楽曲情報を適宜閲覧及び入手自在になっている。
【特許文献１】特開２０００−１１６０４公報
【発明の開示】
【発明が解決しようとする課題】
【０００５】
録再装置の表示器には、例えば、表示できる文字数の制約や、漢字や所定記号については表示不可等の制約があり、これら制約は録再装置の機種ごとに異なっている。したがって、同一の楽曲に対して同一の楽曲情報をＨＤＤやＭＤに記録しても、表示器への楽曲情報の表示が、或る機種の録再装置では、適切であっても、別の機種の録再装置では、先頭の所定字数しか表示されなかったり、漢字表示不可のため、何も表示されなかったりすることが起きる。
【０００６】
特許文献１の楽曲情報入手システムは、ユーザが、ダウンロードした楽曲情報に対して、再生装置の表示器に適合するように、自ら編集する必要があり、煩雑となる。
【０００７】
本発明の目的は、ユーザ作業を低減しつつ、楽曲処理装置における楽曲情報に関する処理に適合するデータを入手かつ使用できるようにした楽曲情報処理システム、楽曲処理装置、データベース管理装置、楽曲情報処理方法、楽曲処理方法及びデータベース管理方法を提供することである。
【課題を解決するための手段】
【０００８】
本発明の楽曲情報処理システムは、楽曲についての処理を行なう楽曲処理装置と、楽曲情報に係るデータベースを管理するデータベース管理装置とを含む。楽曲処理装置は、処理対象の楽曲の特定に係る楽曲特定情報を入手する楽曲特定情報入手手段、楽曲処理装置の機種の識別に係る機種識別情報を入手する機種識別情報入手手段、楽曲特定情報及び機種識別情報をデータベース管理装置へ通知する通知手段、楽曲処理装置における楽曲情報に関する処理に適合したデータとしての二次データをデータベース管理装置から通知される被通知手段、及び二次データを、処理対象の楽曲に対する楽曲情報に関する処理に使用する二次データ使用手段、を有している。データベース管理装置は、楽曲処理装置から楽曲特定情報及び機種識別情報を通知される被通知手段、楽曲特定情報に基づきデータベース内を検索し該データベースより該楽曲特定情報に対応する楽曲情報に係るデータを一次データとして入手する検索手段、楽曲処理装置における楽曲情報に関する処理に適合するデータとしての二次データを機種識別情報に基づき一次データから加工して生成する二次データ生成手段、及び二次データを楽曲処理装置へ通知する通知手段、を有している。
【０００９】
本発明の楽曲処理装置は、楽曲についての処理を行なう。該楽曲処理装置は、処理対象の楽曲の特定に係る楽曲特定情報を入手する楽曲特定情報入手手段、楽曲処理装置の機種の識別に係る機種識別情報を入手する機種識別情報入手手段、楽曲情報に係るデータベースを管理するデータベース管理装置へ楽曲特定情報及び機種識別情報を通知する通知手段、楽曲処理装置における楽曲情報に関する処理に適合したデータとしての二次データをデータベース管理装置から通知される被通知手段、及び二次データを、処理対象の楽曲に対する楽曲情報に関する処理に使用する二次データ使用手段、を有している。
【００１０】
本発明のデータベース管理装置は、楽曲情報に係るデータベースを管理する。該データベース管理装置は、楽曲についての処理を行なう楽曲処理装置から楽曲特定情報及び機種識別情報を通知される被通知手段、楽曲特定情報に基づきデータベース内を検索し該データベースより該楽曲特定情報に対応する楽曲情報に係るデータを一次データとして入手する検索手段、楽曲処理装置における楽曲情報に関する処理に適合するデータとしての二次データを機種識別情報に基づき一次データから加工して生成する二次データ生成手段、及び二次データを楽曲処理装置へ通知する通知手段、を有している。
【００１１】
本発明の楽曲情報処理方法は、楽曲についての処理を行なう楽曲処理装置と、楽曲情報に係るデータベースを管理するデータベース管理装置とを含むシステムに対して実施される。該楽曲情報処理方法は、楽曲処理装置に対して実施される楽曲処理方法と、データベース管理装置に対して実施されるデータベース管理方法とを含む。楽曲処理方法は、処理対象の楽曲の特定に係る楽曲特定情報及び楽曲処理装置の機種の識別に係る機種識別情報を入手するステップ、楽曲特定情報と共に楽曲処理装置の機種の識別に係る機種識別情報をデータベース管理装置へ通知するステップ、楽曲処理装置における楽曲情報に関する処理に適合したデータとしての二次データをデータベース管理装置から通知されるステップ、及び二次データを、処理対象の楽曲に対する楽曲情報に関する処理に使用するステップ、を有している。データベース管理方法は、楽曲処理装置から楽曲特定情報及び機種識別情報を通知されるステップ、楽曲特定情報に基づきデータベース内を検索し該データベースより該楽曲特定情報に対応する楽曲情報に係るデータを一次データとして入手するステップ、楽曲処理装置における楽曲情報に関する処理に適合するデータとしての二次データを機種識別情報に基づき一次データから加工して生成するステップ、及び二次データを楽曲処理装置へ通知するステップ、を有している。
【００１２】
本発明の楽曲処理方法は、楽曲についての処理を行なう楽曲処理装置に対して実施される。該楽曲処理方法は、処理対象の楽曲の特定に係る楽曲特定情報及び楽曲処理装置の機種の識別に係る機種識別情報を入手するステップ、楽曲特定情報と共に楽曲処理装置の機種の識別に係る機種識別情報をデータベース管理装置へ通知するステップ、楽曲処理装置における楽曲情報に関する処理に適合したデータとしての二次データをデータベース管理装置から通知されるステップ、及び二次データを、処理対象の楽曲に対する楽曲情報に関する処理に使用するステップ、を有している。
【００１３】
本発明のデータベース管理方法は、楽曲情報に係るデータベースを管理するデータベース管理装置に対して実施される。該データベース管理方法は、楽曲についての処理を行なう楽曲処理装置から楽曲特定情報及び機種識別情報を通知されるステップ、楽曲特定情報に基づきデータベース内を検索し該データベースより該楽曲特定情報に対応する楽曲情報に係るデータを一次データとして入手するステップ、楽曲処理装置における楽曲情報に関する処理に適合するデータとしての二次データを機種識別情報に基づき一次データから加工して生成するステップ、及び二次データを楽曲処理装置へ通知するステップ、を有している。
【発明の効果】
【００１４】
本発明によれば、楽曲特定情報と共に機種識別情報がデータベース管理装置側へ通知されて、データベース管理装置側は、データベース内の楽曲情報を楽曲処理装置へそのまま返すのではなく、楽曲処理装置における楽曲情報に関する処理に適合させるように加工した楽曲情報を楽曲処理装置へ返すことになる。したがって、ユーザは、楽曲処理装置における楽曲情報に関する処理に適合する楽曲情報を入力する作業を軽減されるとともに、楽曲処理装置は、二次データを使って、処理対象の楽曲に対する楽曲情報に関する処理を適切に実施できる。
【発明を実施するための最良の形態】
【００１５】
図１は楽曲処理装置１０のハードウェア構成を含む楽曲処理装置１０及びデータベース管理装置２４の接続図である。この楽曲処理装置１０は、ＣＤドライブ１１、ＨＤＤ（ハードディスク装置）１２、ラジオチューナ１３、表示器１４、スピーカ１５、通信装置１６及び処理及び制御装置１９を有している。ＣＤドライブ１１は、ＣＤをセットされ、ＣＤ内の楽曲を再生自在になっている。ラジオチューナ１３は、ユーザにより選局されたラジオ放送局の放送番組に係るオーディオ信号を出力する。ＨＤＤ１２は、ＣＤドライブ１１のＣＤやラジオ放送から楽曲をダビングできるようになっている。図示の楽曲処理装置１０は、装備していないが、楽曲処理装置１０は、ＭＤを装填自在のＭＤドライブを装備することもできる。ＨＤＤ１２やＭＤへの楽曲の記録では、楽曲と共に楽曲情報も該楽曲に対応付けて記録自在になっている。表示器１４は、ＨＤＤ１２やＭＤ内の楽曲を再生中、該楽曲の楽曲情報を文字（文字には、数字や記号も含むものとする。）で表示するようになっている。スピーカ１５は、再生中の楽曲等の音声を出力する。通信装置１６は、ＩＳＰ（インターネットサービスプロバイダ）を経由してインターネット２０へ適宜、又は常時接続される。通信装置１６とＩＳＰのゲートウェイ（図示せず）とは無線及び／又は有線により接続される。処理及び制御装置１９は、ＣＤドライブ１１、ＨＤＤ１２、表示器１４及び通信装置１６を制御するとともに、それらとデータを送受し、また、スピーカ１５へ音声信号を送る。データベース管理装置２４は、楽曲情報を集めた楽曲情報データベース２５を装備して、それを管理し、インターネット２０へサーバとして接続されている。
【００１６】
楽曲処理装置１０は、楽曲と共に、該楽曲に対応付けてその楽曲情報を記録するＩＣメモリを備えることができる。楽曲情報とは、例えば、楽曲名、アーティスト名、該楽曲を含むアルバム名、及びジャンルである。カーナビゲーション装置は、楽曲処理装置１０を兼備することができる。楽曲処理装置１０を兼備するカーナビゲーション装置は、テレビチューナや、音声記録用のハードディスクを装備することがある。楽曲処理装置１０は、ユーザの家庭に固定的に又は携帯自在に配備されるものであってもよい。
【００１７】
図２は楽曲情報処理システム３０の機能ブロック図である。楽曲情報処理システム３０は、楽曲処理装置１０とデータベース管理装置２４とを含む、楽曲処理装置１０は、楽曲についての処理を行ない、データベース管理装置２４は、楽曲情報に係る楽曲情報データベース２５を管理する。楽曲処理装置１０は、楽曲特定情報入手手段３２、機種識別情報入手手段３３、通知手段３４、被通知手段３５及び二次データ使用手段３６を有している。データベース管理装置２４は、被通知手段４１、検索手段４２、二次データ生成手段４３及び通知手段４４を有している。楽曲処理装置１０における楽曲についての処理には、例えば、楽曲の再生、楽曲のダビング、放送局から放送されてくる楽曲の放音、及び楽曲情報の読書き自在のＨＤＤ１２等の記録媒体への楽曲情報の記録が含まれる。
【００１８】
楽曲処理装置１０では、楽曲特定情報入手手段３２は、処理対象の楽曲の特定に係る楽曲特定情報を入手する。機種識別情報入手手段３３は、楽曲処理装置１０の機種の識別に係る機種識別情報を入手する。通知手段３４は、楽曲特定情報及び機種識別情報をデータベース管理装置２４へ通知する。被通知手段３５は、楽曲処理装置１０における楽曲情報に関する処理に適合したデータとしての二次データをデータベース管理装置２４から通知される。二次データ使用手段３６は、二次データを、処理対象の楽曲に対する楽曲情報に関する処理に使用する。
【００１９】
データベース管理装置２４では、被通知手段４１は、楽曲処理装置１０から楽曲特定情報及び機種識別情報を通知される。検索手段４２は、楽曲特定情報に基づき楽曲情報データベース２５内を検索し、該楽曲情報データベース２５より該楽曲特定情報に対応する楽曲情報に係るデータを一次データとして入手する。二次データ生成手段４３は、楽曲処理装置１０における楽曲情報に関する処理に適合するデータとしての二次データを機種識別情報に基づき一次データから加工して生成する。通知手段４４は、二次データを楽曲処理装置１０へ通知する。
【００２０】
楽曲特定情報入手手段３２は、例えば、（ａ）ユーザが入力した楽曲のＩＤ又は楽曲を含むアルバムのＩＤを楽曲特定情報として入手するものであったり、（ｂ）楽曲を放送中の放送局が該楽曲に係る楽曲情報として楽曲の放送と並行してデータ放送して来る文字データに基づく情報を楽曲特定情報として入手するものであったりする。楽曲のＩＤ又は楽曲を含むアルバムのＩＤは、アルバムに同封されている歌詞の印刷物や、アルバムの表面に印刷されていることがある。また、曲名や歌詞やアーティスト等の要素について、該要素の全体又は一部がユニークであれば、該ユニーク部分を楽曲特定情報とすることもできる。ユニーク部分の入力作業は煩雑であるが、ユニーク部分だけ入力すれば、該楽曲について広範な楽曲情報をデータベース管理装置２４から二次データとして入手できるので、全体のユーザ作業は大幅に軽減される。
【００２１】
機種識別情報は、楽曲処理装置１０のメーカ名と型番でほぼ一意に決定できる。機種識別情報は、メーカーからの出荷段階においてすでに楽曲処理装置１０内の所定の不揮発メモリに記録されている場合があるし、ユーザが楽曲処理装置１０の購入後、自分で楽曲処理装置１０内の所定の不揮発メモリに記録する場合もある。
【００２２】
例えば、楽曲処理装置１０における楽曲についての処理とは、楽曲に対応付けてその楽曲情報を記録媒体（例：ＨＤＤ１２やＭＤ）へ記録処理である。楽曲処理装置における楽曲情報に関する処理とは、楽曲処理装置１０の表示器１４に楽曲の再生中に該楽曲の楽曲情報を表示する処理である。
【００２３】
二次データ生成手段４３は、さらに、表示制約検出手段４７及び表示制約対応生成手段４８を含む。表示制約検出手段４７は、機種識別情報に基づき楽曲処理装置１０の表示器１４における楽曲情報の表示制約を検出する。表示制約対応生成手段４８は、二次データを楽曲処理装置１０の表示制約に基づき一次データから加工して生成する。
【００２４】
こうして、楽曲処理装置１０は、二次データを、処理対象の楽曲に対する楽曲情報に関する処理（例：ＨＤＤ１２等への楽曲情報の記録）に使用することにより、楽曲処理装置における楽曲情報に関する処理（ＨＤＤ１２等から読み出した楽曲情報を表示器１４へ表示する処理）を適切に行なうことができる。
【００２５】
表示器１４の表示制約としては、例えば、一度に表示できる文字数の制限、カタカナとアルファベットは表示可能であるが、漢字や所定の記号は表示不可という制約がある。表示制約検出手段４７及び表示制約対応生成手段４８は該制約に対処する。
【００２６】
表示器１４の表示制約が字数に関する制約である場合、二次データ生成手段４３は、楽曲情報としての楽曲名、アーティスト名及びジャンル等の内、重要性の低いものを省略したり、正式名でなく、略称を使用して、字数を減らしたりして、提示情報が不自然にならない範囲で情報量や字の間引きを行なって、表示器１４における楽曲情報の表示が字数内に収まるようにする。こうして、楽曲処理装置１０からデータベース管理装置２４への楽曲特定情報及び機種識別情報の通知に対して、データベース管理装置２４から楽曲処理装置１０へ送り返される二次データは、楽曲処理装置１０の表示器１４における表示に適合したものとなり、表示器１４の表示制約にもかかわらず、表示器１４における楽曲情報の不適切な表示が回避される。
【００２７】
図１では、楽曲処理装置１０及びデータベース管理装置２４はインターネット２０を介して接続されている。したがって、楽曲処理装置１０及びデータベース管理装置２４間の通知及び被通知は、インターネット２０を介する通信により行われる。
【００２８】
データベース管理装置２４は、楽曲処理装置１０に装備されて楽曲処理装置１０における楽曲情報に関する処理（例：楽曲のダビングと該楽曲に対応付けての楽曲情報の記録の処理）を行うソフトウェアがデータベース管理装置２４を装備する。この場合、楽曲処理装置１０及びデータベース管理装置２４間の通知及び被通知は、ソフトウェアの内部処理として実施される。
【００２９】
図３は楽曲情報処理方法５３のフローチャートである。楽曲情報処理方法５３は、楽曲についての処理を行なう楽曲処理装置１０と、楽曲情報に係るデータベースを管理するデータベース管理装置２４とを含むシステムに対して実施される。楽曲情報処理方法５３は、楽曲処理装置１０に対して実施される楽曲処理方法５４及びデータベース管理装置２４に対して実施されるデータベース管理方法５９とを含む。楽曲処理方法５４はＳ５５，Ｓ５６，Ｓ７０，Ｓ７１を含む。、データベース管理方法５９はＳ６０〜Ｓ６４を含む。
【００３０】
Ｓ５５では、処理対象の楽曲の特定に係る楽曲特定情報及び楽曲処理装置１０の機種の識別に係る機種識別情報を入手する。Ｓ５６では、楽曲特定情報と共に楽曲処理方法５４の識別に係る機種識別情報をデータベース管理装置２４へ通知すし、次に、データベース管理方法５９のＳ６０へ進む。
【００３１】
データベース管理方法５９のＳ６０では、楽曲処理装置１０から楽曲特定情報及び機種識別情報を通知される。Ｓ６１では、楽曲特定情報に基づきデータベース内を検索し、Ｓ６２では、該データベースより該楽曲特定情報に対応する楽曲情報に係るデータを一次データとして入手する。Ｓ６３では、楽曲処理装置１０における楽曲情報に関する処理に適合するデータとしての二次データを機種識別情報に基づき一次データから加工して生成する。Ｓ６４では、二次データを楽曲処理装置１０へ通知し、次に、楽曲処理方法５４へ戻り、楽曲処理方法５４のＳ７０を実行する。
【００３２】
楽曲処理方法５４のＳ７０では、楽曲処理装置１０における楽曲情報に関する処理に適合したデータとしての二次データをデータベース管理装置２４から通知される。Ｓ７１では、二次データを、処理対象の楽曲に対する楽曲情報に関する処理に使用する。
【００３３】
Ｓ６３の実施態様では、Ｓ６３は、Ｓ６３ａ及びＳ６３ｂを含む。Ｓ６３ａでは、機種識別情報に基づき楽曲処理装置１０の表示器における楽曲情報の表示制約を検出する。Ｓ６３ｂでは、二次データを楽曲処理方法５４の表示制約に基づき一次データから加工して生成する。
【００３４】
こうして、楽曲処理装置１０における楽曲情報に関する処理として例えば楽曲処理装置１０の表示器１４にＨＤＤ１２やＭＤから再生中の楽曲の楽曲情報を表示する等の第１の処理があり、また、処理対象の楽曲に対する楽曲情報に関する処理として例えばダビング中又はダビング後に、楽曲情報を楽曲に対応付けて記録可能な記録媒体に楽曲情報を記録する等の第２の処理があるとき、二次データを第２の処理に使用して、第１の処理を支障なく又は適切に実施できる。
【図面の簡単な説明】
【００３５】
【図１】楽曲処理装置のハードウェア構成を含む楽曲処理装置及びデータベース管理装置の接続図である。
【図２】楽曲情報処理システムの機能ブロック図である。
【図３】楽曲情報処理方法のフローチャートである。
【符号の説明】
【００３６】
１０：楽曲処理装置、１２：ＨＤＤ（記録媒体）、１４：表示器、２４：データベース管理装置、２５：楽曲情報データベース、３０：楽曲情報処理システム、３２：楽曲特定情報入手手段、３３：機種識別情報入手手段、３４：通知手段、３５：被通知手段、３６：二次データ使用手段、４１：被通知手段、４２：検索手段、４３：二次データ生成手段、４４：通知手段、４７：表示制約検出手段、４８：表示制約対応生成手段。
【図１】
2005276394.tif 000003
【図２】
2005276394.tif 000004
【図３】
2005276394.tif 000005